(57)【特許請求の範囲】
【請求項１】
紙容器の開口部に液密に溶着乃至接着される取付部が外周に設けられているフランジ部
を有すると共に該フランジ部の内周端から起立した注出筒を有してなる紙容器用注出具で
あって、前記フランジ部の取付部に沿って破断可能な環状弱化部を設け、前記注出筒に破
断可能な螺旋状弱化部を注出筒上端から下端まで設けると共に、前記フランジ部に前記環
状弱化部と前記螺旋状弱化部とを接続する連結弱化部が設けられており、前記螺旋状弱化
部を破断し、続いて前記連結弱化部を破断し、さらに前記環状弱化部を破断することによ
り、前記注出筒及び前記フランジ部の一部を前記紙容器から除去可能としたことを特徴と
する紙容器用注出具。
【請求項２】
紙容器の開口部に液密に溶着乃至接着される取付部が外周に設けられているフランジ部
を有すると共に該フランジ部の内周端から起立した注出筒を有してなる紙容器用注出具で
あって、前記フランジ部の取付部に沿って破断可能な環状弱化部を設け、前記注出筒に破
断可能な螺旋状弱化部を注出筒上端側から下端まで設けると共に、前記フランジ部に前記
環状弱化部と前記螺旋状弱化部とを接続する連結弱化部が設けられており、さらに前記螺
旋状弱化部の上端から周方向に延びる周方向弱化部が設けられており、前記周方向弱化部
を破断して前記注出筒の一部をリングとし、該リングに手指を掛け前記螺旋状弱化部を破
断し、続いて前記連結弱化部を破断し、さらに前記環状弱化部を破断することにより、前
記注出筒及び前記フランジ部の一部を前記紙容器から除去可能としたことを特徴とする紙
容器用注出具。
【請求項３】
前記周方向弱化部は、前記螺旋状弱化部と接続する片側端部から前記螺旋状弱化部の近
傍の他側端部まで延び、該他側端部と前記螺旋状弱化部間が連結部を形成し、該連結部と
前記周方向反対側の位置の注出筒上端につかみ片が設けられている請求項２記載の紙容器用注出具。
【請求項４】
紙容器の開口部に液密に溶着乃至接着される取付部が外周に設けられているフランジ部
を有すると共に該フランジ部の内周端から起立した注出筒を有してなる紙容器用注出具で
あって、前記フランジ部に外周端から注出筒下端まで延びる破断可能なフランジ弱化部を
設けると共に、前記注出筒に前記フランジ弱化部と接続する破断可能な螺旋状弱化部を設
けてなり、前記螺旋状弱化部を破断し、続いて前記フランジ弱化部を破断することにより
、前記注出具を前記紙容器から除去可能としたことを特徴とする紙容器用注出具。
【発明の詳細な説明】
【技術分野】
【０００１】
本発明は、紙容器の開口部に液密に溶着乃至接着されるフランジ部とこれから起立した
注出筒とを有する紙容器用注出具に関し、より詳しくは、使用後の紙容器から注出具部分
を除去しやすい形状に構成することにより、廃棄時分別収集に寄与し得る紙容器用注出具
に関する。
【背景技術】
【０００２】
従来、各種乳製品、ジュース類、酒類の容器として、紙容器が使用されることが多い。
この紙容器の上部には内容物の注出具として、加工性やコスト面から合成樹脂製のものが
付設されている。このため、紙容器使用後の廃棄に関しては、そのまま捨てられて焼却処
分されるか、紙容器と合成樹脂製の注出具とをハサミなどを利用して分離し、紙容器が紙
資源として回収され再利用されるかのいずれかの方法により処分されている。紙容器は、
再生されて再利用されるのが望ましいが、紙容器に付設された合成樹脂製注出具は、溶着
乃至接着により強固に取り付けられているために、分離するのが容易でなく、紙資源とし
て回収されずに、そのまま捨てられることが多いのが現状である。
このような状況を踏まえて、紙容器と合成樹脂製の注出具とを、手指のみで容易に分離
出来る紙容器用注出具として、下記のものが提案されている。
【特許文献１】特許第３８５５１７９号公報
【０００３】
この特許文献１に係る紙容器用注出具は、図１３に示すように、紙容器５０の開口部５
１に液密に溶着乃至接着される取付部５２が外周に設けられているフランジ部５３を有す
ると共に該フランジ部５３の内周端から起立した注出筒５４を有してなり、この注出筒５
４に破断可能な直線状弱化部５５を注出筒５４上端から下端まで設けると共に、注出筒５
４の下端部に破断可能な横溝５６を設けてなるものである。これにより、手指にて注出筒
５４の直線状弱化部５５を破断し、続いて横溝５６を破断することにより、注出筒５４を
紙容器５０から容易に除去出来るようにしたものである。
【発明の開示】
【発明が解決しようとする課題】
【０００４】
しかしながら、上記特許文献１の紙容器用注出具は、その合成樹脂製の注出筒５４部分
は紙容器５０から除去出来るものの、合成樹脂製のフランジ部５３が全て紙容器５０側に
残り、合成樹脂製の注出筒５４部分のみを除去しただけでは、紙と合成樹脂という異種材
料の分離としては不十分である。したがって、このままでは紙容器の紙資源として回収さ
れ、再利用されることは難しくなる虞がある。
【０００５】
そこで、本発明の目的は、注出具付の紙容器における紙資源としての回収に際して、ハ
サミなどの道具を使用する煩わしさをなくして紙容器から注出具の除去回収を容易ならし
め、分別回収に寄与し得る紙容器用注出具を提供することにある。
【課題を解決するための手段】
【０００６】
本発明は、上記目的を達成するために提案されたものであって、下記の構成からなるこ
とを特徴とするものである。
すなわち、本発明によれば、紙容器の開口部に液密に溶着乃至接着される取付部が外周
に設けられているフランジ部を有すると共に該フランジ部の内周端から起立した注出筒を
有してなる紙容器用注出具であって、前記フランジ部の取付部に沿って破断可能な環状弱
化部を設け、前記注出筒に破断可能な螺旋状弱化部を注出筒上端から下端まで設けると共
に、前記フランジ部に前記環状弱化部と前記螺旋状弱化部とを接続する連結弱化部が設け
られており、前記螺旋状弱化部を破断し、続いて前記連結弱化部を破断し、さらに前記環
状弱化部を破断することにより、前記注出筒及び前記フランジ部の一部を前記紙容器から
除去可能としたことを特徴とする紙容器用注出具が提供される。
【０００７】
また、本発明によれば、紙容器の開口部に液密に溶着乃至接着される取付部が外周に設
けられているフランジ部を有すると共に該フランジ部の内周端から起立した注出筒を有し
てなる紙容器用注出具であって、前記フランジ部の取付部に沿って破断可能な環状弱化部
を設け、前記注出筒に破断可能な螺旋状弱化部を注出筒上端側から下端まで設けると共に
、前記フランジ部に前記環状弱化部と前記螺旋状弱化部とを接続する連結弱化部が設けら
れており、さらに前記螺旋状弱化部の上端から周方向に延びる周方向弱化部が設けられて
おり、前記周方向弱化部を破断して前記注出筒の一部をリングとし、該リングに手指を掛
け前記螺旋状弱化部を破断し、続いて前記連結弱化部を破断し、さらに前記環状弱化部を
破断することにより、前記注出筒及び前記フランジ部の一部を前記紙容器から除去可能と
したことを特徴とする紙容器用注出具が提供される。
【０００８】
また、本発明によれば、前記周方向弱化部は、前記螺旋状弱化部と接続する片側端部か
ら前記螺旋状弱化部の近傍の他側端部まで延び、該他側端部と前記螺旋状弱化部間が連結
部を形成し、該連結部と前記周方向反対側の位置の注出筒上端につかみ片が設けられている紙容器用  注出具が提供される。
【０００９】
また、本発明によれば、紙容器の開口部に液密に溶着乃至接着される取付部が外周に設
けられているフランジ部を有すると共に該フランジ部の内周端から起立した注出筒を有し
てなる紙容器用注出具であって、前記フランジ部に外周端から注出筒下端まで延びる破断
可能なフランジ弱化部を設けると共に、前記注出筒に前記フランジ弱化部と接続する破断
可能な螺旋状弱化部を設けてなり、前記螺旋状弱化部を破断し、続いて前記フランジ弱化
部を破断することにより、前記注出具を前記紙容器から除去可能としたことを特徴とする
紙容器用注出具が提供される。
【発明の効果】
【００１０】
本発明の紙容器用注出具は、手指にて注出筒の螺旋状に形成した弱化部を破断し、続い
てフランジ部の連結弱化部を破断して、さらにフランジ部の環状弱化部を破断し、注出筒
及び取付部を除くフランジ部を紙容器から除去することが出来る。したがって、注出具付
の紙容器の紙資源としての回収に際して、特にハサミなどの道具を使用する煩わしさを無
くして回収自体を促進させ、且つ紙容器に溶着乃至接着されるフランジ部の取付部を除く
注出具を除去できるから、分別回収を容易にし、紙容器本体の再生利用を容易に行なえる
効果がある。
【００１１】
また、本発明の紙容器用注出具は、弱化部の形成を請求項２に規定するようにすること
で、手指にて注出筒の周方向弱化部を破断して、注出筒の一部をリングとし、このリング
に手指を掛け螺旋状弱化部を破断し、続いて連結弱化部を破断して、さらに環状弱化部を
破断し、注出筒及び取付部を除くフランジ部を紙容器から除去する。したがって、上記の
効果に加えて、紙容器から注出筒及び取付部を除くフランジ部を、手指にて一層容易に除
去することが出来る効果がある。
【００１２】
また、本発明の紙容器用注出具は、手指にてつかみ片を把持して注出筒の周方向弱化部
を破断して、注出筒の一部をリングとし、このリングに手指を掛けて螺旋状弱化部、連結
弱化部及び環状弱化部を破断して、注出筒及び取付部を除くフランジ部を紙容器から除去
する。したがって、上記の効果に加えて、注出筒及び取付部を除くフランジ部を、紙容器
から手指にてなお一層容易に除去することが出来る効果がある。
【００１３】
また、本発明の紙容器用注出具は、注出筒の螺旋状弱化部を破断し、続いてフランジ弱
化部を破断してフランジ部全体を破断し、注出具を紙容器から除去する。したがって、注
出具付の紙容器の紙資源としての回収に際して、特にハサミなどの道具を使用する煩わし
さを無くして回収自体を促進させ、且つ紙容器に溶着乃至接着される注出具の全てを除去
できるから、紙以外の異種材料の混入を完全に押さえ、再利用され得る効果がある。
【発明を実施するための最良の形態】
【００１４】
以下に、図面を参照して本発明を実施するための最良の形態を説明する。
【実施例１】
【００１５】
図１は本発明の実施の形態を示す紙容器用注出具にキャップを装着した状態の断面図、
図２は紙容器用注出具に装着するキャップの平面図、図３はキャップを外した状態の紙容
器用注出具の側面図、図４はキャップを外した状態の紙容器用注出具の平面図、図５は紙
容器に紙容器用注出具（キャップ付）を取り付けた状態の斜視図である。
図面において、紙容器用注出具１は、紙容器２の開口部３に液密に溶着乃至接着される
取付部４が外周に設けられているフランジ部５を有すると共に、このフランジ部５の内周
端、すなわち、後述する内周端部２０から起立した注出筒６を有してなるものであり、フ
ランジ部５の取付部４に沿って破断可能な環状弱化部７を設け、注出筒６に破断可能な螺
旋状弱化部８を注出筒６上端から下端まで設けると共に、フランジ部５に環状弱化部７と
螺旋状弱化部８とを接続する連結弱化部９が設けられている。
【００１６】
前記紙容器２としては、各種乳製品、ジュース類、酒類などの液状内容物を充填出来る
ものであり、且つその開口部３に紙容器用注出具１の取付部４が液密に溶着乃至接着され
得るものであれば、形状などに特に限定がない。容器２の材質は紙であり、上記液状内容
物を充填するため、少なくとも内面にこれに耐えうるための処置、例えば、樹脂コーティ
ングなどが施されている。
【００１７】
そして、前記フランジ部５の内周端部２０から起立した注出筒６には、その外周面に螺
条１０が刻設されてキャップ１１が螺着脱自在となり、さらに、上述のように螺旋状弱化
部８が螺条１０の有無に係わらず注出筒６上端から下端まで設けられている。この注出筒
６には底板１２が設けられ、その底板１２には開封予定部１３があり、この開封予定部１
３はスコア１４により囲まれ、破断除去可能な部位である。この開封予定部１３に設けた
スコア引裂用タブ１５に手指を掛けて引っ張り、スコア１４を破断すれば開封予定部１３
を除去、すなわち、開封することが出来る。なお、開封後のシールは、キャップ１１に設
けたインナーリング１６と注出筒６の上端部内周面とが嵌合することによりなされる。
【００１８】
一方、前記フランジ部５は、前記取付部４と内周端部２０とからなり、この取付部４に
沿って、すなわち、内周端部２０との境目に前記環状弱化部７が設けられ、この環状弱化
部７と前記螺旋状弱化部８との間は前記連結弱化部９により接続している。この螺旋状弱
化部８は分別の際、手指を注出筒内に深く入れる必要が無く、螺旋状弱化部８の近傍の注出筒を把持して注出筒に対して進行方向前方且つ半径方向外方に引っ張るだけで容易に破断できる。また、連結弱化部９は図３から判るように、螺旋状弱化部８下端の傾斜角と同じ角度を持って形成されており、螺旋状弱化部８の破断の力をスムーズに連結弱化部９に伝えることができると共に、図４から判るように、環状弱化部７にも緩やかな角度を持って接続されているため、連結弱化部９の破断の力をスムーズに環状弱化部７に伝えることができる。したがって、注出筒６の螺旋状弱化部８を破断し終えれば、フランジ部５の内周端部２０の連結弱化部９に破断が移行し、さらに連結弱化部９を破断し終えれば、取付部４と内周端部２０との境目の環状弱化部７に破断が移行し、環状弱化部７を破断し終えれば、注出筒６及びフランジ部５の一部である内周端部２０を紙容器２から除去することが出来る。なお、紙容器２にはフランジ部５の取付部４が残留するが、この部分は注出筒６及びフランジ部５の内周端部２０に比べて微小な量であり、紙資源としての再利用に大きな影響を及ぼさない。
【００１９】
次に、図面を参照して、上記構成になる紙容器用注出具１の使用について説明する。
まず、紙容器２内に収容されている各種乳製品、ジュース類、酒類などの液状内容物を
利用するには、紙容器用注出具１に装着していたキャップ１１を螺脱し、スコア引裂用タ
ブ１５に手指を掛けて引っ張り、スコア１４を破断して開封予定部１３を除去して開封す
る。紙容器２内に液状内容物が残っている場合は、キャップ１１を螺着して密封すればよ
い。紙容器２の液状内容物を全て消費し終わったら、注出筒６の上端部を手指でつかみ螺
旋状弱化部８を破断し（図６参照）、引き続きフランジ部５の内周端部２０の連結弱化部
９を破断して行き、さらに環状弱化部７を破断して、注出筒６及びフランジ部５の一部で
ある内周端部２０を紙容器２から除去し（図７参照）、除去後の紙容器２を紙資源回収処
分とする。
【実施例２】
【００２０】
図８乃至図１１は本発明の他の実施形態を示す紙容器用注出具１Ａを示し、この紙容器
用注出具１Ａと図１乃至図７に示す紙容器用注出具１との相違点は、破断可能な螺旋状弱
化部８を注出筒６の上端から設けずに、注出筒６の上端部に周方向に延びる周方向弱化部
２１を設け、この周方向弱化部２１に螺旋状弱化部８ａの上端を接続した点にある。この
周方向弱化部２１は破断することによって螺旋状弱化部８ａに導くためのリングを形成す
るものであるため、弱化部が全周に形成されることはない。
【００２１】
したがって、まず、注出筒６の上端部にあるつかみ片６ａを手指でつかみ、周方向弱化
部２１を破断して、注出筒６の一部をリング２２とし、さらに、このリング２２に手指を
掛け螺旋状弱化部８ａを破断し、続いて連結弱化部９を破断して、さらに環状弱化部９を
破断することにより、注出筒６及び内周端部２０を紙容器２から除去し、除去後の紙容器
２を紙資源回収処分とすることができるものである。その他の構成、作用は図１乃至図７
に示す紙容器用注出具１と同じなので、その詳細な説明を省略する。
【００２２】
なお、リング２２を形成し易くする手段としては前記つまみ片６ａの換えて連結部２３と周方向反  対側の位置の周方向弱化部の一部をスリットとすることもできる。
【実施例３】
【００２３】
図１２は本発明の他の実施形態を示す紙容器用注出具１Ｂを示し、この紙容器用注出具
１Ｂと図１乃至図７に示す紙容器用注出具１との相違点は、フランジ部５に環状弱化部７
を設けず、その外周端から注出筒６下端まで、すなわち、前記取付部４と前記内周端部２
０まで延びる破断可能なフランジ弱化部３０を設けると共に、注出筒６に設けた螺旋状弱
化部８にフランジ弱化部３０を接続した点にある。また、紙容器にはフランジ弱化部及び
フランジ外周端に当たる紙容器に弱化部を設けることが望ましい。
【００２４】
したがって、手指にて注出筒６の上端部をつかみ螺旋状弱化部８を破断し、続いてフラ
ンジ弱化部３０を破断してフランジ部５全体を破断し、紙容器用注出具１全体及び紙容器
の一部を除去することができて、紙容器用注出具１付の紙容器２の紙資源としての回収に
際して、特にハサミなどの道具を使用する煩わしさを無くして回収自体を促進させ、且つ
紙容器２に溶着乃至接着される注出具１の全てを除去できるから、紙以外の異種材料の混
入を完全に押さえることができる。
【００２５】
以上、本発明の実施例１乃至３を説明したが、具体的な構成はこれに限定されず、本発
明の要旨を逸脱しない範囲での変更は適宜可能であることは理解されるべきである。
【産業上の利用可能性】
【００２６】
本発明の紙容器用注出具は、注出具付の紙容器における紙資源としての回収に際して、
紙以外の異種材料である合成樹脂などの混入を出来るだけ押さえ、しかもハサミなどの道
具を使用する煩わしさもなく、資源回収自体を促進させたいような場合に、極めて高い利
用可能性がある。
【図面の簡単な説明】
【００２７】
【図１】本発明の実施例１に示した実施の形態を示す紙容器用注出具にキャップを装着した状態の断面図である。
【図２】紙容器用注出具に装着するキャップの平面図である。
【図３】キャップを外した状態の紙容器用注出具の側面図である。
【図４】キャップを外した状態の紙容器用注出具の平面図である。
【図５】紙容器に紙容器用注出具（キャップ付）を取り付けた状態の斜視図である。
【図６】紙容器から紙容器用注出具を除去する状態の側面図である。
【図７】紙容器から紙容器用注出具を除去する状態の側面図である。
【図８】本発明の実施例２に示した実施形態を示す紙容器用注出具の側面図である。
【図９】図８の紙容器用注出具を反対方向から見た側面図である。
【図１０】図８の紙容器用注出具を紙容器から除去する状態の側面図である。
【図１１】図８の紙容器用注出具を紙容器から除去する状態の側面図である。
【図１２】本発明の実施例３に示した実施形態を示す紙容器用注出具の平面図である。
【図１３】特許文献１に示された紙容器用注出具の側断面図である。
【符号の説明】
【００２８】
１，１Ａ，１Ｂ            紙容器用注出具
２，５０                  紙容器
３，５１                  開口部
４，５２                  取付部
５，５３                  フランジ部
６，５４                  注出筒
６ａ                      つかみ片
７                        環状弱化部
８，８Ａ                  螺旋状弱化部
９                        連結弱化部
１０                      螺条
１１                      キャップ
１２                      底板
１３                      開封予定部
１４                      スコア
１５                      スコア引裂用タブ
１６                      インナーリング
２０                      内周端部
２１                      周方向弱化部
２２                      リング
２３                      連結部
３０                      フランジ弱化部
５５                      直線状弱化部
５６                      横溝
【図１】
0004948345.tif 000002
【図２】
0004948345.tif 000003
【図３】
0004948345.tif 000004
【図４】
0004948345.tif 000005
【図５】
0004948345.tif 000006
【図６】
0004948345.tif 000007
【図７】
0004948345.tif 000008
【図８】
0004948345.tif 000009
【図９】
0004948345.tif 000010
【図１０】
0004948345.tif 000011
【図１１】
0004948345.tif 000012
【図１２】
0004948345.tif 000013
【図１３】
0004948345.tif 000014